(57)【要約】【課題】フィルム内袋へ内容物を充填する際に口部を開くときコンタミネーションの発生を防ぎかつフィルム内袋の口部を開く作業が迅速にできるフィルム内袋入り紙袋を提供すること。【解決手段】フィルム内袋入り紙袋１０は、合成樹脂製のフィルム内袋１２を紙製筒状体１１の内部に入れた紙袋形成筒状部材１３の底端部１３ａを閉鎖してなる底部閉鎖部１５と、それとは反対側の口部１８とを備えている。フィルム内袋１２は、チューブ状フィルムの対向する開口部側の両端部を扁平状態にし、長手方向にほぼ直交する横方向へ延びる第１，２シール部１４ａ，１４ｂで密閉されている。フィルム内袋入り紙袋１０への内容物充填時に、第１シール部１４ａを切り落として開放し、その開放口２３より内容物を充填する。【選択図】    図１
2004284617.tif 000002
【特許請求の範囲】
【請求項１】
合成樹脂製のフィルム内袋を少なくとも１層の紙製筒状体の内部に入れてなる紙袋形成筒状部材の底端部を閉鎖して形成された底部閉鎖部と、該底部閉鎖部とは反対側の口部とを備えるフィルム内袋入り紙袋において、
前記フィルム内袋が、チューブ状フィルムの相対向する開口部側の両端部に、該両端部を扁平状態にし、前記両端部間方向である長手方向にほぼ直交する横方向へ延びる第１，２シール部を予め形成して密閉状態にされており、前記フィルム内袋入り紙袋への内容物充填時には、前記口部に位置する前記フィルム内袋の前記第１シール部より長手方向中央寄りの位置で前記横方向へ切断して開放し、その開放口より前記内容物を充填した後、前記開放口を再シールし、前記口部を閉塞して使用することを特徴とするフィルム内袋入り紙袋。
【請求項２】
前記フィルム内袋入り紙袋の前記口部における前記フィルム内袋と前記紙製筒状体との各端縁が、前記長手方向においてほぼ整列しており、前記フィルム内袋入り紙袋への内容物充填時には、前記フィルム内袋の前記口部に位置する前記第１シール部より長手方向中央寄りで、前記フィルム内袋の前記端部を前記紙製筒状体の端部と共に前記横方向へ切断して開放し、その開放口より前記内容物を充填した後、前記開放口を再シールし、前記口部を閉塞して使用することを特徴とする請求項１に記載のフィルム内袋入り紙袋。
【請求項３】
前記フィルム内袋入り紙袋の前記口部に位置する前記フィルム内袋の前記第１シール部が、前記紙製筒状体の端縁から前記長手方向の外方へ突出しており、前記フィルム内袋入り紙袋への内容物充填時には、前記紙製筒状体の前記端縁から突出している前記フィルム内袋の前記第１シール部を、前記紙製筒状体の前記端縁に沿って切断して開放し、前記内容物をその開放口より前記フィルム内袋に充填した後、前記開放口を再シールし、前記口部を閉塞して使用することを特徴とする請求項１に記載のフィルム内袋入り紙袋。
【請求項４】
前記フィルム内袋入り紙袋は、前記フィルム内袋および前記紙製筒状体のそれぞれ底部側および口部側の前記各端縁が直線切りで形成され、かつ前記フィルム内袋入り紙袋の両側部にＶ字形に折り込まれたひだ部を備えていることを特徴とする請求項１〜３のいずれかに記載のフィルム内袋入り紙袋。
【請求項５】
前記フィルム内袋の前記両端部に形成された前記第１，２シール部が、シートシールであることを特徴とする請求項１〜４のいずれかに記載のフィルム内袋入り紙袋。
【発明の詳細な説明】
【０００１】
【発明の属する技術分野】
この発明はフィルム内袋入り紙袋に関し、更に詳しくは合成樹脂製のフィルム内袋を紙製筒状体の内部に入れた紙袋形成筒状部材の底端部を閉鎖して底部閉鎖部を構成しているフィルム内袋入り紙袋に関する。
【０００２】
【従来の技術】
従来、ポリエチレン等の合成樹脂製フィルム袋を内層袋として使用したフィルム内袋入り紙袋は、気密性、防湿性、クリーン性の点で適しているため大量に使用されている。具体的には、従来のフィルム内袋入り紙袋は、主にクラフト紙で形成された１〜３層の紙製外袋の内部にポリエチレンフィルム製の袋を内層袋として配置して構成され、砂糖、各種粉類、穀物或いはプロテイン等の食品類、若しくは樹脂ペレット等（以下、単に内容物と称する）を内層袋に入れて輸送や保管に使用されていた（例えば、特許文献１参照。）。
【０００３】
このようなフィルム内袋入り紙袋は、通称、フラッシュピンチ袋とも言われている。このフラッシュピンチ袋は、フィルム製筒状体の底端側をヒートシールして紙製筒状体内に配置し、このフィルム内袋と紙製筒状体との底端部を一緒に少なくとも１回折り曲げ、この折曲げ部の外側端縁を跨ぐように開封テープ付きの当て紙で該折曲げ部を包囲拘束して底部閉鎖部としたものであった。
【０００４】
このような従来のフィルム内袋入り紙袋における口部は、内容物を充填したフィルム内袋の口端側をヒートシールした後に、底部とまったく同様に、フィルム内袋と紙製外袋との口部を一緒に少なくとも１回折り曲げ、この折曲げ部の外側端部を跨ぐように開封テープ付き又は開封テープの付かない当て紙で該折曲げ部を包囲拘束して封緘されていた。
【０００５】
【特許文献１】
特開平２−９８５５１号公報
【０００６】
【発明が解決しようとする課題】
このような、気密性、防湿性及びクリーン性の点で極めて使い勝手のよいフィルム内袋入り紙袋は、紙袋製造時や紙袋移送時に開口し、異物が混入し易いという点で問題があった。すなわち、チューブ状の中間製品を次工程に運ぶ時、紙袋の検査工程や紙袋をユーザーに運ぶ時、ユーザーで紙袋を機械にセットする時に開口し、ほこりが入る可能性があった。
又、フィルム内袋への内容物充填時に異物の混入（コンタミネーション）を起こし易いという点でも問題があった。すなわち、この種のフィルム内袋入り紙袋への内容物の充填は、専用の機械で行っている。その場合、この内容物充填用機械にフィルム内袋入り紙袋をセットする前には、フィルム内袋の口部を手作業で開いている。しかし、フィルム内袋入り紙袋は扁平状態になっているためフィルム内袋の対向壁面は密着しており、その口部を手作業で開くと静電気が発生することがあり、この静電気に吸引されて周囲の塵埃がフィルム内袋の口端部に吸着し、内容物と共に入り込むのである。
【０００７】
このコンタミネーションの発生を少しでも防止するため、フィルム内袋と紙製外袋とを最初から分離しておき、フィルム内袋だけをクリーンルームに運び入れ、そこで内容物を充填し、その後、フィルム内袋の充填口をヒートシールした上で紙製外袋に挿入する、という方法も行われていた。しかし、このような方法は作業が煩雑であることから、内容物の充填作業効率が非常に悪く、改善が望まれていた。
【０００８】
また、コンタミネーションの発生を確実に防止する必要がある場合には、特殊なフィルム内袋を使用していた。すなわち、この特殊なフィルム内袋は、インフレーション成型法でフィルム筒状体を形成し、その際にフィルムどうしが弱いブロッキング状態となるように特殊加工を施しておく。言い換えれば、扁平になったフィルム筒状体の対向壁面同士が疑似的に軽く接合している状態になっている。このため、コンタミネーションの発生をほぼ完全に防止することができる。
【０００９】
しかし、この特殊なフィルム内袋を使用した場合、空袋の取り扱いにおいて、口部が開かず塵埃の混入はないが、フィルム内袋への内容物の充填時にその口部を開くときに静電気の発生で周囲の塵埃が引き込まれることがある。加えて、フィルム内袋への内容物の充填時にその口部を開く作業、即ち剥離作業が非常に面倒で時間が掛かり、フィルム内袋入り紙袋への内容物充填作業が迅速にできない、という問題があった。そのため、コンタミネーションの発生がほとんど無く、しかも内容物充填作業が迅速にできるようなフィルム内袋入り紙袋の開発が望まれていた。
【００１０】
本発明の目的は、前述した従来の問題点を解決するためになされたもので、フィルム内袋へ内容物を充填する際に口部を開くとき静電気によるコンタミネーションの発生がほとんど無く、かつフィルム内袋の口部を開く作業が迅速にできるフィルム内袋入り紙袋を提供することにある。
【００１１】
【課題を解決するための手段】
前述した技術的課題を解決するため、本発明は、合成樹脂製のフィルム内袋を少なくとも１層の紙製筒状体の内部に入れてなる紙袋形成筒状部材の底端部を閉鎖して形成された底部閉鎖部と、該底部閉鎖部とは反対側の口部とを備えるフィルム内袋入り紙袋において、前記フィルム内袋が、チューブ状フィルムの相対向する開口部側の両端部に、該両端部を扁平状態にし、前記両端部間方向である長手方向にほぼ直交する横方向へ延びる第１，２シール部を予め形成して密閉状態にされており、前記フィルム内袋入り紙袋への内容物充填時には、前記口部に位置する前記フィルム内袋の前記第１シール部より長手方向中央寄りの位置で前記横方向へ切断して開放し、その開放口より前記内容物を充填した後、前記開放口を再シールし、前記口部を閉塞して使用することを特徴とする。
【００１２】
また、本発明のフィルム内袋入り紙袋では、その前記口部における前記フィルム内袋と前記紙製筒状体との各端縁が、前記長手方向においてほぼ整列しており、前記フィルム内袋入り紙袋への内容物充填時には、前記フィルム内袋の前記口部に位置する前記第１シール部より長手方向中央寄りで、前記フィルム内袋の前記端部を前記紙製筒状体の端部と共に前記横方向へ切断して開放し、その開放口より前記内容物を充填した後、前記開放口を再シールし、前記口部を閉塞して使用することを特徴とする。
【００１３】
さらに、本発明のフィルム内袋入り紙袋では、その前記口部に位置する前記フィルム内袋の前記第１シール部が、前記紙製筒状体の端縁から前記長手方向の外方へ突出しており、前記フィルム内袋入り紙袋への内容物充填時には、前記紙製筒状体の前記端縁から突出している前記フィルム内袋の前記第１シール部を、前記紙製筒状体の前記端縁に沿って切断して開放し、前記内容物をその開放口より前記フィルム内袋に充填した後、前記開放口を再シールし、前記口部を閉塞して使用することを特徴とする。
【００１４】
このような本発明のフィルム内袋入り紙袋では、前記フィルム内袋および前記紙製筒状体のそれぞれ底部側および口部側の前記各端縁を直線切りで形成したものであることが好ましく、また前記フィルム内袋入り紙袋の両側部にＶ字形に折り込まれたひだ部を形成したものであることも好ましい。また、前記フィルム内袋の前記両端部に形成された前記第１，２シール部は、シートシールであることが好ましい。
【００１５】
【発明の実施の形態】
次に、本発明のフィルム内袋入り紙袋を図に示される好適な実施形態について更に詳細に説明する。図１は本発明の一実施形態に係るフィルム内袋入り紙袋１０を扁平に折り畳んだ状態で、かつ一部を破断して示す平面図であり、図２はフィルム内袋入り紙袋１０を図１の２−２線で切断してその断面構造を模式的に示す構成説明図である。このフィルム内袋入り紙袋１０は、１層の紙製筒状体１１と、その内部に配置された合成樹脂製のフィルム内袋１２とからなる紙袋形成部材１３を備え、この紙袋形成部材１３の底端部１３ａを閉鎖して構成されている。
【００１６】
紙製筒状体１１は、主にクラフト紙で形成された両端直線切りで、ひだの無い筒状体で形成され、フィルム内袋１２は、合成樹脂フィルムから形成され、紙製筒状体１１と同様に両端直線切りで、ひだの無い筒状体の口端側および底端側にそれぞれヒートシールにより形成された幅方向へ延びる第１，２シール部１４ａ，１４ｂを有している。フィルム内袋１２を形成する合成樹脂フィルムとしては、熱可塑性樹脂フィルムが好ましく、更に熱可塑性樹脂フィルムとしてはポリエチレン樹脂から形成されたフィルムが好ましい。
【００１７】
紙袋形成部材１３の底端部１３ａが閉鎖されると、これによりフィルム内袋入り紙袋１０の閉鎖された底部、即ち底部閉鎖部１５が形成される。この底部閉鎖部１５は、紙袋形成部材１３の扁平な底端部１３ａを折り曲げることなく、該底端部１３ａを跨ぐように補強紙１６をＵ字形に折曲して包囲し、この補強紙１６においてその折曲部１６ａより両側部１６ｂ，１６ｃを紙製筒状体１１の各壁面１１ａ，１１ｂに水溶性の接着剤１７で接着することにより構成されている。
【００１８】
この底部閉鎖部１５は、将来、フイルム内袋１２を紙製筒状体１１から取り出す際に開封されることのない非開封端部であり、この非開封端部を形成している補強紙１６は、その幅方向の長さが紙製筒状体１１の壁面幅より大きく、補強紙１６の両端部が紙袋形成部材１３の両側縁より均等に外方へ突出し、タブ１６ｄを形成している。
【００１９】
他方、フィルム内袋入り紙袋１０の口部１８では、フィルム内袋１２と紙製筒状体１１の各端縁が長手方向においてほぼ整列して構成されており、フィルム内袋１２の口端側は、前述したようにヒートシールによって形成された幅方向へ延びる第１シール部１４ａにより閉鎖されている。また、フィルム内袋入り紙袋１０の口部１８では、紙製筒状体１１の壁面１１ａ，１１ｂと同幅寸法の補強紙１９の一端１９ａが一方の壁面１１ｂに水溶性の接着剤１７で接着されている。
【００２０】
この補強紙１９の他端１９ｂにおける紙製筒状体１１の壁面１１ｂ側に向いた表面１９ｃには、乾燥固化されたホットメルト系接着剤２０が他端１９ｂの端縁より紙製筒状体１１の長さ方向所定範囲で且つ全幅に塗布されており、また、補強紙１９の他端１９ｂ側における表面１９ｃには、開封時に補強紙１９を引き破る開封テープ２１が設けられている。補強紙１９表面への開封テープ２１の取り付け位置は、他端１９ｂに寄った位置に限定されるものではなく、接着剤２０と先に説明した接着剤１７との間に設けられていればよい。要するに、開封テープ２１は、補強紙１９を幅方向に引き破ることができる位置に取り付けられていればよい。
【００２１】
次に、この実施形態に係るフィルム内袋入り紙袋１０の使用方法について説明する。このフィルム内袋入り紙袋１０に、例えば、合成樹脂ペレットなどの内容物を入れて口部１８を封緘する場合には、最初に、口部１８に位置するフィルム内袋１２の第１シール部１４ａより長手方向中央寄りの位置（図１，２に切断線２２で示す位置）で、フィルム内袋１２の口端側を紙製筒状体１１の口端と共に幅方向へ切断して図４に示すように開放口２３を形成する。
【００２２】
このとき、紙袋形成部材１３の口端部１３ａに取り付けた補強紙１９が邪魔になることがある。そのため、補強紙１９を図３に示すように予定している切断線２２より長手方向中央寄り位置における幅方向へ延びる折曲部２４で紙製筒状体１１の壁面１１ｂとは反対側へ折り返しておくことが好ましい。
【００２３】
次いで、フィルム内袋入り紙袋１０の口部１８におけるフィルム内袋１２の開放口２３よりその内部に内容物を充填する。その後、フィルム内袋入り紙袋１０の口部１８を扁平にし、一対の加熱バー（図示せず）でヒートシール予定帯状領域を挟んで加熱し、フィルム内袋１２の口端側を全幅に亘ってヒートシールをし、図５に示すように再シール部２５を形成して閉鎖する。その後、図６に示すように紙袋形成部材１３の口端部１３ｂを１回折り曲げ、次いで折り返されている補強紙１９を元に戻し、その他端１９ｂに塗布されている乾燥固化されたホットメルト系接着剤２０に熱風を吹き付けてこれを再活性させた後、紙袋形成部材１３の折曲げ部２６を覆うように補強紙１９を反対側に折り曲げ、紙製筒状体１１の壁面１１ａに接着してフィルム内袋入り紙袋１０の口部１８を閉鎖する。
【００２４】
図６は、この状態、即ち内容物を充填した後のフィルム内袋入り紙袋１０における口部閉鎖部を示している。図６に示す例では、結果的に、紙袋形成部材１３における口端部１３ｂの折曲げ部２６全体を補強紙１９で覆い、その両端部１９ａ，１９ｂをそれぞれ紙製筒状体１１の両壁面１１ａ，１１ｂに接着して閉鎖したものであるが、図７に示すように開封テープ２１の付いた補強紙１９の一端部１９ａを、折曲げ部２６の表面に貼り付け、他端部１９ｂを紙製筒状体１１の一壁面１１ａに接着して閉鎖したものであってもよい。
【００２５】
このようにフィルム内袋入り紙袋１０では、内容物充填時までフィルム内袋１２の口端側と底端側との両方が第１，２シール部１４ａ，１４ｂで閉鎖されていて、内容物を充填するときにフィルム内袋１２の第１シール部１４ａより下側を幅方向に切断して開封し、その開封口２３から内容物を充填するようにしたから、フィルム内袋入り紙袋１０に内容物を充填する際にフィルム内袋１２の口端側を開くとき静電気によるコンタミネーションの発生がほとんど無く、かつフィルム内袋１２の口端側を開く作業が迅速にできる。
【００２６】
上述したようにして口部１８が封緘されたフィルム内袋入り紙袋１０を開封するときには、紙製筒状体１１とその内部のフィルム内袋１２との端部どうしを相互に拘束し合っている紙袋形成部材１３の端部を開封する必要がある。図１〜図６に示された実施形態の場合には紙袋形成部材１３の口端部１３ｂがそれであり、したがってこの口端部１３ｂを開封する。言い換えれば、この口端部１３ｂを開封するだけでよい。そこで、この口端部１３ｂ側におけるフィルム内袋入り紙袋１０の口部１８を封緘している補強紙１９には、予めこのことを想定して開封テープ２１が設けられているので、その一端を掴んで強く引っ張ると、補強紙１９が幅方向に線状に引き破かれ、フィルム内袋入り紙袋１０の口部１８が開封される。
【００２７】
このフィルム内袋入り紙袋１０では、前述したように紙製筒状体１１とフィルム内袋１２との端部どうしのうち、口部１８側に位置する端部どうしが該口部１８を封緘する際に折り曲げられることで相互に係止され、底部閉鎖部１５では紙袋形成部材１３の底端部１３ａが折り曲げられていないため、両方の端部どうしは相互に係止されていない。
【００２８】
そのため、フィルム内袋入り紙袋１０の底部閉鎖部１５を開封する必要はなく、該底部閉鎖部１５を構成している補強紙１６の両側部における左右のタブ１６ｄを利用して紙製筒状体１１を床などに押さえ付けている間に、該紙製筒状体１１からフィルム内袋１２を引き上げるなどして、開封された紙袋筒状体１１の口端からフィルム内袋１２を抜き出すと、フィルム内袋１２を簡単に紙製筒状体１１から取り出すことができる。
【００２９】
あるいは、フィルム内袋入り紙製１０における紙製筒状体１１の口端を上述したように開封した後に、このフィルム内袋入り紙製１０を逆さまにし、上に位置する底部閉鎖部１５の補強紙１６における左右のタブ１６ｃを把手としてそれを両手で掴んで紙製筒状体１１を引き上げると、内容物が充填されていて重量のあるフィルム内袋１２は、そのまま床に位置していて、紙製筒状体１１だけが引き上げられ、結果的にフィルム内袋１２を紙製筒状体１１から抜き出すことができる。
【００３０】
このようにして最終的に取り出されたフィルム内袋１２は、そのままクリーンルーム等に運び入れられて開封され、内容物がその内部から適宜の容器に取り出され、又は加工装置のホッパーなどに直接供給される。
【００３１】
図８は、この発明の他の実施形態に係るフィルム内袋入り紙袋１０を示す図２と同様な概略的な断面図である。図１〜図６に示したフィルム内袋入り紙袋１０では、紙製筒状体１１の口端縁とフィルム内袋１２の口端側の端縁とが長手方向において整列していたが、図８に示すようにフィルム内袋１２の口端側を紙製筒状体１１の口端から外側へ突出させ、この突出部に初期シール部、即ち第１シール部１４ａを形成しておいてもよい。図８に示すフィルム内袋入り紙袋１０に内容物を充填するとき、紙製筒状体１１の口端縁に沿ってフィルム内袋１２の口端側を切り落として開放口２３を形成し、この開放口２３から内容物を充填する。その後の閉鎖方法は、前述した通りである。
【００３２】
図９は、本発明に係るフィルム内袋入り紙袋１０において、その口部の他の閉鎖方法を示す図６と同様な断面図である。この例では、フィルム内袋入り紙袋１０の底部閉鎖部１５では、図１および図２に示す態様と同じように紙袋形成部材１３の扁平な底端部１３ａを折り曲げずに、補強紙１６をＵ字形にして底端部１３ａを跨ぐように包囲固定している。また、内容物充填後の口部封緘の際の該口部１８については、底部閉鎖部１５と同様に紙袋形成部材１３の扁平な口端部１３ｂを折り曲げずに、補強紙１９をＵ字形に折曲して口端部１３ｂを跨いで包囲固定している。
【００３３】
この態様の場合には、紙製筒状体１１からフィルム内袋１２を取り出すとき、紙製筒状体１１の口端又は底端のいずれを開封してもよいので、開封する側の補強紙に開封テープ２１を設け、また非開封端部における補強紙の幅方向の長さを紙製筒状体１１の幅より大きくして、補強紙の両側部を紙袋形成部材１３の両側縁より均等に外方へ突出させて把手として使用可能なタブとする。もちろん、開封テープ２１は補強紙１６，１９の両方に設けられていてもよい。
【００３４】
開封テープ２１が補強紙１６，１９の両方に設けられていると、開封作業者がフィルム内袋入り紙袋１０を開封するとき、いずれの端部が開封側となっているのかを一々確認する必要がなく、偶然に上部に位置している紙袋１０の端部における補強紙を破いて該紙袋１０を開封することができる。また、この場合のように、フィルム内袋入り紙袋１０のいずれの端部が開封されるか分からないような場合には、両端部の補強紙１６，１９ともに両側部を紙袋形成部材１３の両側縁より均等に外方へ突出させてタブを形成しておいてもよい。
【００３５】
更に、フィルム内袋入り紙袋１０の底部閉鎖部１５を、図６に示す口部閉鎖構造と同様に紙袋形成部材１３の底端部１３ａを少なくとも１回折り曲げ、この折曲げ部を包囲するように補強紙１６をＵ字形にして配置し、その両端部１６ａ，１６ｂをそれぞれ紙製筒状体１１の両壁面１１ａ，１１ｂに接着して閉鎖するか、図７に示す口部閉鎖構造と同様に補強紙１６の一端部１６ａを折曲げ部の表面に貼り付け、他端部１６ｂを紙製筒状体１１の一壁面１１ａに接着して閉鎖した構造にし、フィルム内袋入り紙袋１０の口部１８の封緘については、紙袋形成部材１３の扁平な口端部１３ｂを折り曲げることなく、該口端部１３ｂを跨ぐように補強紙１９をＵ字形にして包囲し、その両端部をそれぞれ紙製筒状体１１の両壁面１１ａ，１１ｂに接着して閉鎖した構造にしてもよい。
【００３６】
この態様は、図６又は図７に示される内容物充填後のフィルム内袋入り紙袋１０を、上下を逆にして見た状態とまったく同じであるので、この態様については図示を省略する。なお、この態様では、前述の説明から明らかなように、開封テープ２１は紙製筒状体１１とフィルム内袋１２との端部どうしが紙袋形成部材１３の底端部１３ａの折曲げ部によって相互に係止されている底部閉鎖部１５の補強紙１６に設けられ、また開封時に、紙製筒状体１１の内部からフィルム内袋１２を取り出し易くするために、補強紙によって形成されるタブは、非開封端部である口部１８側における補強紙１９を紙袋形成部材１３の両側縁より均等に外方へ突出して形成される。
【００３７】
前述の実施形態のうち、紙製筒状体１１とフィルム内袋１２の端部どうしを拘束させるために、紙袋形成部材１３の両端部のうち、いずれか一方を１回折り曲げ、この折曲げ部を補強紙で押さえるようにした例に関し、紙袋形成部材１３の端部の折り曲げ回数は１回に限定されるものではなく、２回以上であってもよい。しかし、フイルム内袋入り紙袋の場合は、フィルム内袋の底端側がヒートシールされていて、内容物充填後には口端側もヒートシールすることが基本であるので、フィルム内袋１２から内容物が漏れる心配はなく、紙袋形成部材１３の一方の端部を複数回折り曲げることにあまり意味がない。
【００３８】
さらに、前述した各実施形態では、ひだ無しのフィルム内袋入り紙袋を例にしたものであったが、本発明は、内方へ断面Ｖ字形に折り込み可能なひだ部が両側部に形成されたフィルム内袋入り紙袋についても適用することができる。
【００３９】
【発明の効果】
以上説明したように、本発明のフィルム内袋入り紙袋によれば、内容物の充填時までフィルム内袋が両端側ともシールされており、内容物を充填するときに口端側のシール部を切除して開放するようにしたことにより、フィルム内袋へ内容物を充填する際の口端側の開放時に発生しやすい静電気によるコンタミネーションが起こることはほとんど無く、かつフィルム内袋の口部を開く作業を迅速に行うことができる。
【図面の簡単な説明】
【図１】本発明の一実施形態に係るフィルム内袋入り紙袋を扁平状態にして示す平面図である。
【図２】図１のフィルム内袋入り紙袋を２−２線で切断してその断面構造を模式的に示す構成説明図である。
【図３】図１に示すフィルム内袋入り紙袋の口部を、内容物充填時に切断するときの状態を概略的に示す、図２と同様な構成説明図である。
【図４】図１に示すフィルム内袋入り紙袋の口部を、内容物充填前に切断してフィルム内袋の口端側を開放した状態を概略的に示す、図２と同様な構成説明図である。
【図５】内部に内容物を充填した後にフィルム内袋の口端側を再シールした状態を概略的に示す、図２と同様な構成説明図である。
【図６】フィルム内袋入り紙袋の内部に内容物を充填した後の口部閉鎖部を概略的に示す構成説明図である。
【図７】紙袋形成部材の底端部を折り曲げて補強紙で固定する別の態様を示す部分的な斜視図である。
【図８】本発明の他の実施形態に係るフィルム内袋入り紙袋の断面構造を模式的に示す構成説明図である。
【図９】フィルム内袋入り紙袋の口部を、他の閉鎖方法で閉鎖した例を示す図６と同様な構成説明図である。
【符号の説明】
１０  フィルム内袋入り紙袋
１１  紙製筒状体
１１ａ，１１ｂ  壁面
１１ｃ  底端
１２  フィルム内袋
１３  紙袋形成部材
１３ａ  底端部
１３ａ  口端部
１４ａ  第１シール部
１４ｂ  第２シール部
１５  底部閉鎖部
１６  補強紙
１６ａ  折曲部
１６ｃ、１６ｂ  側部
１６ｄ  端部（タブ）
１７  水溶性の接着剤
１８  フィルム内袋入り紙袋の口部
１９  補強紙
２０  ホットメルト系接着剤
２１  開封テープ
２２  切断予定線
２３  フィルム内袋の開放口
２４  補強紙の折曲部
２５  フィルム内袋の再シール部
２６  折曲げ部
【図１】
2004284617.tif 000003
【図２】
2004284617.tif 000004
【図３】
2004284617.tif 000005
【図４】
2004284617.tif 000006
【図５】
2004284617.tif 000007
【図６】
2004284617.tif 000008
【図７】
2004284617.tif 000009
【図８】
2004284617.tif 000010
【図９】
2004284617.tif 000011